(57)【要約】      （修正有）【課題】材料を粉砕するための回転ドラムに減寸部材を取り付けるための取付ブロックに関するものであり、減寸部材の噛み込みを変えることを可能とする粉砕装置と調整する方法の提供。【解決手段】減寸部材を粉砕装置の回転ドラムに取り付けるための取付ブロック４５であり、取付ブロック４５におけるブロック貫通穴６７は、この取付ブロック４５がポケットの取付面に、２つの異なる位置で取り付けられるように配列されている。取付ブロック４５は、回転ドラムの減寸部材の噛み込みサイズを変えるために複数の位置に取り付け可能である。【選択図】図６
2014213322.tif 000002
【特許請求の範囲】
【請求項１】
材料を粉砕するための回転ドラムに減寸部材を取り付けるための取付ブロックであって、
上面と、
前記上面とは反対側の下面と、
前方取付面と、
前記前方取付面とは反対側の後方取付面と、
前記取付ブロック内部に設けられ、前記上面及び前記下面に平行な少なくとも２列のブロック貫通穴と、
を備え、
前記ブロック貫通穴は、前記取付ブロックを前記回転ドラムに取り付けるようになっており、前記ブロック貫通穴は、前記前方取付面を貫通して延びており、前記上面に最も近い上列のブロック貫通穴は前記上面から距離Ｄ１のところにあり、前記下面に最も近い下列のブロック貫通穴は前記下面から距離Ｄ２のところにあり、Ｄ１はＤ２とは異なっており、
また、前記上面を貫通して延び、減寸部材を前記取付ブロックに取り付けるようになっている開口を備えたことを特徴とする取付ブロック。
【請求項２】
前記開口は、前記下面を貫通している、請求項１に記載の取付ブロック。
【請求項３】
材料を粉砕するための回転ドラムに減寸部材を取り付けるための取付ブロックであって、
上面と、
前記上面とは反対側の下面と、
前方取付面と、
前記前方取付面とは反対側の後方取付面と、
前記上面及び前記下面に平行なブロック貫通穴の列と
を備え、
前記ブロック貫通穴は、前記取付ブロックを前記回転ドラムに取り付けるようになっており、前記ブロック貫通穴は、前記前方取付面及び前記後方取付面を貫通して延びており、前記ブロック貫通穴の列は前記上面から距離Ｄ１のところ、かつ、前記下面から距離Ｄ２のところにあり、Ｄ１はＤ２とは異なっており、
また、前記上面を貫通して延び、減寸部材を前記取付ブロックに取り付けるようになっている開口を備えたことを特徴とする取付ブロック。
【請求項４】
前記開口は、減寸部材を前記取付ブロックに取り付けるために前記下面を貫通している請求項３に記載の取付ブロック。
【請求項５】
ブロック貫通穴を１列だけ備えている請求項３に記載の取付ブロック。
【請求項６】
回転軸を有し、材料を粉砕するための回転ドラムであって、
ドラム取付面と、
前記ドラム取付面に取り外し可能に取り付けられた取付ブロックと
を備え、
前記取付ブロックは、前方取付面と、前記前方取付面とは反対側の後方取付面とを備え、前記後方取付面は、前記ドラム取付面に接しており、また、前記取付ブロックは、前記前方取付面及び前記後方取付面を貫通して延びる少なくとも２列のブロック貫通穴を備え、これらの列は前記回転ドラムの回転軸に平行であり、
また、材料を粉砕するための減寸エッジを有し、前記取付ブロックに取り付けられた減寸部材を備えたことを特徴とする回転ドラム。
【請求項７】
前記取付ブロックは、上面と、前記上面とは反対側の下面とを備え、前記上面に最も近い上列のブロック貫通穴は前記上面から距離Ｄ１のところにあり、前記下面に最も近い下列のブロック貫通穴は前記下面から距離Ｄ２のところにあり、Ｄ１はＤ２とは異なっている請求項６に記載の回転ドラム。
【請求項８】
前記ドラム取付面を貫通して延び、前記回転ドラムの回転軸に平行であり、前記ブロック貫通穴と位置合わせされている面貫通穴の列と、
前記取付ブロックを貫通して前記面貫通穴内へと延びるねじファスナーと
を備えた請求項７に記載の回転ドラム。
【請求項９】
前記取付ブロックは２列のブロック貫通穴を備え、前記ドラム取付面はこのドラム取付面を貫通して延びる２列の面貫通穴を備え、面貫通穴の各列は前記回転ドラムの回転軸に平行であり、かつ、ブロック貫通穴の列に位置合わせされている請求項６に記載の回転ドラム。
【請求項１０】
前記ドラム取付面は、このドラム取付面を貫通して延びる２列以上の面貫通穴を備え、面貫通穴の各列は前記回転ドラムの回転軸に平行であり、かつ、ブロック貫通穴の列に位置合わせされている請求項６に記載の回転ドラム。
【請求項１１】
前記取付ブロックは、
上面と、
前記上面とは反対側の下面と、
前記上面及び前記下面を貫通して延び、前記減寸部材を前記取付ブロックに取り付けるように構成された開口と
を備えた請求項６に記載の回転ドラム。
【請求項１２】
前記減寸部材は、歯と、粉砕部材(grinding element)と、ナイフとからなる群から選択される請求項６に記載の回転ドラム。
【請求項１３】
粉砕ドラムの減寸部材の噛み込みを調整するための方法であって、
前記粉砕ドラムは、ドラム取付面と、このドラム取付面に取り外し可能に取り付けられた取付ブロックと、減寸部材とを備え、前記取付ブロックは、上面と、前記上面とは反対側の下面と、前方取付面と、前記前方取付面とは反対側にあって前記ドラム取付面に接する後方取付面と、前記上面及び前記下面に平行な少なくとも２列のブロック貫通穴とを備え、これらのブロック貫通穴は、前記取付ブロックをこの粉砕ドラムに取り付けるようになっており、前記ブロック貫通穴は、前記前方取付面及び前記後方取付面を貫通して延びており、前記減寸部材は、前記取付ブロックの上面に配置されており、前記方法は、
前記取付ブロックを前記ドラム取付面から取り外し、
前記減寸部材を前記取付ブロックの上面から取り外し、
前記減寸部材が前記取付ブロックの下面に配置されるよう、前記減寸部材を前記取付ブロックに取り付け、
前記減寸部材が取付ブロックの下面に配置されるよう前記取付ブロックに取り付けられた後に、前記取付ブロックを前記ドラム取付面に取り付ける
ことを特徴とする方法。
【請求項１４】
前記減寸部材が前記上面に配置された前記取付ブロックが前記ドラム取付面に取り付けられたとき、前記減寸部材の減寸エッジと前記粉砕ドラムのシェルとの間に距離Ｄ３が形成され、前記減寸部材が前記下面に配置された前記取付ブロックが前記ドラム取付面に取り付けられたとき、前記減寸部材の減寸エッジと前記粉砕ドラムのシェルとの間に距離Ｄ４が形成され、Ｄ３はＤ４とは異なっている請求項１３に記載の方法。
【請求項１５】
前記取付ブロックの上面に最も近い上列のブロック貫通穴は前記上面から距離Ｄ１のところにあり、前記下面に最も近い下列のブロック貫通穴は前記下面から距離Ｄ２のところにあり、Ｄ１はＤ２とは異なっている請求項１３に記載の方法。
【発明の詳細な説明】
【関連出願のクロスレファレンス】
【０００１】
この出願には、「粉砕装置のための調整可能なアンビル（Adjustable Anvil for Comminuting Apparatus）」を発明の名称とする２０１３年４月２９日付米国特許出願第１３／８７２，７３７号及び「粉砕装置で使用するための調整可能な切断具（Adjustable Cutter for use in Comminuting Apparatus）」を発明の名称とする米国特許出願第１３／８７２，８０１号の内容を、全ての関連し、一貫した目的のために、援用により組み込んでいる。
【技術分野】
【０００２】
本願開示の分野は、粉砕装置の回転ドラムに減寸部材を取り付けるための取付ブロックに関し、特に、回転ドラムの減寸部材の噛み込み量を変えるために多数の位置に取り付けることができる取付ブロックに関する。
【背景技術】
【０００３】
材料を機械的に砕き（つぶし）、おのなどで削り、あるいは細かく切ることでその材料のサイズを減らすために、グラインダーやチッパー等の粉砕装置が使用されている。このような装置は、整地作業や、都市廃棄物処理作業、及び堆肥化作業において、木の枝や木株またはブラシといったような木製材料のサイズを小さくする（つまり減寸する）ために使用することができ、他の材料、例えば、単なる例示ではあるが、建築材料や、有機又は無機の繊維状材料等を加工するためにも使用することができる。チッパー及びグラインダーは、大きな材料（例えば、木の幹、木の枝、ログなどの木質系材料）を回転粉砕ドラム（ここでは、単に、「回転ドラム」とも言う）と接触させる動力式供給機構（power in-feed mechanism）を備えることができる。動力式供給システムによって材料が前進させられるとき、材料が回転ドラムとぶつかって、粉砕される。回転する減寸部材、例えば歯、粉砕部材(grinding elements)、または切断刃（ナイフ）などがその材料に接触し、その材料の部分、部分が、その装置のアンビルによって形成される減寸エッジを通過させられる。
【０００４】
アンビルの減寸エッジを通過すると、材料はチャンバーに入り、そして排出される。このチャンバーを通過すると、減寸された材料は、通常、排出コンベヤに積み込まれる。排出コンベヤはその減寸された材料を集積場に運ぶ。水平グラインダーの一例が米国特許公報第２００９／０２４２６７７号に開示されており、その内容は、全ての関連し、一貫した目的のために、援用によりこの明細書中に組み込まれている。
【０００５】
減寸部材の噛み込み（bite)を変えることを可能とする粉砕装置がこれまでずっと必要とされている。減寸部材の噛み込みを変えるために装置を調整する方法もこれまでずっと必要とされている。
【０００６】
この箇所は、本願開示の様々な側面（以下に記載され、クレームされている）に関係するかもしれない技術の様々の側面に読者を導くことを意図している。ここでの説明は、本願開示の様々な側面をよりよく理解できるようにするための背景情報を読者に提供する上で役立つと思われる。したがって、ここでの記述はこれに照らして読まれるべきであり、先行技術であると認めたものとして読まれるべきではないことは当然である。
【発明の概要】
【０００７】
本願開示の一側面は、材料を粉砕するための回転ドラムに減寸部材を取り付けるための取付ブロックに関するものである。取付ブロックは、上面及び下面に平行な少なくとも２列の貫通穴（以下、「ブロック貫通穴」とも言う）を内部に有する。これらのブロック貫通穴は、取付ブロックを回転ドラムに取り付けるようになっている。前記ブロック貫通穴は、前方取付面を貫通して延びている。前記上面に最も近い上列のブロック貫通穴は前記上面から距離Ｄ１のところにある。前記下面に最も近い下列のブロック貫通穴は前記下面から距離Ｄ２のところにある。Ｄ１はＤ２とは異なっている（generally different）。この取付ブロックは、前記上面を貫通して延びる開口を有する。この開口は、減寸部材を取付ブロックに取り付けるようになっている。
【０００８】
本願開示の別の側面は、材料を粉砕するための回転ドラムに減寸部材を取り付けるための取付ブロックに関するものである。この取付ブロックは、上面と、前記上面とは反対側の下面と、前方取付面と、前記前方取付面とは反対側の後方取付面とを有する。取付ブロックは、前記上面及び下面に平行な貫通穴（以下、「ブロック貫通穴」とも言う）の列を有する。これらのブロック貫通穴は、取付ブロックを回転ドラムに取り付けるようになっている。前記ブロック貫通穴は、前記前方取付面及び後方取付面を貫通して延びている。前記ブロック貫通穴の列は前記上面から距離Ｄ１のところ、かつ、前記下面から距離Ｄ２のところにある。Ｄ１はＤ２とは異なっている。この取付ブロックは、前記上面を貫通して延びる開口を有する。この開口は、減寸部材を取付ブロックに取り付けるようになっている。
【０００９】
本願開示のさらなる側面は、材料を粉砕するための回転ドラムに関するものである。この回転ドラムは回転軸を有すると共に、取付面（以下、「ドラム取付面」とも言う）及びこの取付面に取り外し可能に取り付けられた取付ブロックを備えている。前記取付ブロックは、前方取付面と、前記前方取付面とは反対側の後方取付面とを有する。前記後方取付面は、前記ドラム取付面に接している(abuts)。前記取付ブロックは、前記前方取付面及び後方取付面を貫通して延びる少なくとも２列のブロック貫通穴を備える。これらの列は前記回転ドラムの回転軸に平行である。前記回転ドラムは、前記取付ブロックに取り付けられた減寸部材を備える。前記減寸部材は、材料を粉砕するための減寸エッジを有する。
【００１０】
本願開示の別の側面は、粉砕ドラムの減寸部材の噛み込みを調整するための方法に関するものである。粉砕ドラムは、取付面（以下、「ドラム取付面」とも言う）と、この取付面に取り外し可能に取り付けられた取付ブロックと、減寸部材とを備えている。前記取付ブロックは、上面と、前記上面とは反対側の下面と、前方取付面と、前記前方取付面とは反対側にあって前記ドラム取付面に接する（abut）後方取付面と、前記上面及び下面に平行な少なくとも２列のブロック貫通穴とを備える。これらのブロック貫通穴は、前記取付ブロックをこの粉砕ドラムに取り付けるようになっている。前記ブロック貫通穴は、前記前方取付面及び後方取付面を貫通して延びている。前記減寸部材は、取付ブロックの上面に配置されている。前記取付ブロックを前記取付面から取り外す。前記減寸部材を取付ブロックの上面から取り外す。前記減寸部材が前記取付ブロックの下面に配置されるよう、前記減寸部材を前記取付ブロックに取り付ける。前記減寸部材が前記取付ブロックの下面に配置されるよう前記取付ブロックに取り付けられた後に、前記取付ブロックを前記取付面に取り付ける。
【００１１】
上述した本願開示の側面に関して記載された構成（事項）については様々な改良が存在する。上述した本願開示の側面にはさらなる構成（事項）を組み込んでもよい。これらの改良や追加の構成は、別個に存在してもよいし、如何様に組み合わせてもよい。例えば、本願開示の図示された実施形態に関して以下に説明する種々の構成を、単独または如何様にも組み合わせて、上述した本願開示に組み込んでもよい。
【図面の簡単な説明】
【００１２】
【図１】加工中の材料を減寸するための装置の斜視図である。
【００１３】
【図２】上記装置の供給システム、アンビル、送りローラ、粉砕ドラムの側面図である。
【００１４】
【図３】粉砕ドラムの斜視図である。
【００１５】
【図４】粉砕ドラムの減寸アセンブリの斜視図である。
【００１６】
【図５】減寸アセンブリの分解斜視図である。
【００１７】
【図６】減寸部材の取付ブロックの斜視図である。
【図７】減寸部材の取付ブロックの斜視図である。
【００１８】
【図８】粉砕ドラムのポケットの正面図である。
【００１９】
【図９】取付ブロックの別の実施形態の斜視図である。
【００２０】
【図１０】取付ブロックの断面図で、減寸部材を取付ブロックに取り付けるための開口を示す。
【００２１】
【図１１】減寸部材の噛み込みサイズがＤ３である粉砕ドラムの側面図である。
【００２２】
【図１２】減寸部材の噛み込みサイズがＤ４である粉砕ドラムの側面図である。
【００２３】
全図を通じて、対応する参照符号は対応する部分を示す。
【発明を実施するための形態】
【００２４】
図１において、材料を減寸するための装置の一実施形態の全体を５で示す。この装置５は、動力式供給システム（power in-feed system）１３と粉砕アセンブリ２０と排出コンベヤ４０とを備えた水平グラインダーとして示されている。本願開示は水平グラインダーに関して説明したが、本明細書中に記載した原理（例えば、二重取り付け式取付ブロック）は、木質材料やその他の材料を粉砕するための任意の適切な装置、例えば、粉砕物を排出するシュートを備えた木材チッパー、にも適用してもよい。
【００２５】
粉砕装置５の供給システム１３は、矢印Ｆが示す送り方向に粉砕ドラム２５（図２）の方へと材料を移動させるために、無端のコンベヤベルト１５を含んでいる。図２に示すように、供給システムは、アンビル１７に近い側に第１端部３７を有する。アンビル１７は、コンベヤベルト１５と粉砕ドラム２５との間に、これらコンベヤベルト１５と粉砕ドラム２５との間の隙間を跨ぐように配置されている。送りローラ３０は軸を中心にＲ３０の方向に回転して材料をアンビル１７上に送り粉砕ドラム２５に接触させる。このアンビル１７は、粉砕ドラム２５に隣接する第１端２７とコンベヤベルト１５に隣接する第２端３６とを有する。
【００２６】
前記粉砕ドラム２５には、複数の減寸アセンブリ３（例えば、歯、ブレード、ナイフ、等及びこれらの組み合わせ）が取り付けられている。動作中、粉砕ドラム２５は、減寸アセンブリ３の先端部が周方向の減寸経路を形成するように、Ｒ２５の方向に回転軸を中心として回転する。
【００２７】
図３に示すように、粉砕ドラム２５は軸Ａを中心として回転する。粉砕ドラム２５は、シェル４とこのシェルに形成された幾つかのポケット７とを含んでいる。ポケット７は、軸に平行な複数の列に配置されている。しかし、ポケット７は、適切なものであれば如何なるパターンに配置されてもよく、シェル４の外周上にジグザクに配置されてもよい。各ポケット７には減寸アセンブリ３が入れられている。この減寸アセンブリ３は、ポケット７に取り付けられ、ポケット７から一部が径方向に延びて粉砕ドラム２５の減寸経路を画定している。
【００２８】
ここでは粉砕装置は、粉砕ドラム２５にポケット７を有するものとして記載するが、適切であれば如何なる構成も使用できる（例えば、ポケットのないドラム）。例えば、粉砕装置は、ピン−プレートデザインを有することができる。あるいは、減寸部材を、ドラムのシェルに直接取り付けてもよい。ポケットに関して本明細書で説明する原理（principles)（例えば、二重取付式取付ブロック）のいずれもが、格別の記載がない限り、他のデザイン（設計）にも及ぶと理解されるべきである。
【００２９】
各減寸アセンブリ３は、減寸部材４２を取り付けるための取付ブロック４５を含む（図４及び図５）。減寸部材４２は、材料を粉砕するための減寸エッジ５５を有する。減寸部材４２はサポートプレート５１とクランププレート４４との間に配置される。減寸アセンブリ３は、さらに、任意の数のスペーサまたは「シム」を備えていてもよく、そのうちの３つ５２ａ、５２ｂ、５２ｃが図示されている。減寸アセンブリ３の様々な構成部分がそれぞれ単一ピースとして示されているが、組み合わさって１つの機能部材を形成する幾つかのピースであってもよい（例えば、クランププレート４４、減寸部材４２、及び／又はサポートプレート５１は、合体してクランププレート、ナイフ刃、及び／又はサポートプレートを形成する２つの異なる半体（図示せず）を有してもよい）。
【００３０】
ここで図８（減寸部材は図示せず）を参照すると、各ポケット７は、減寸アセンブリ３(図４）を粉砕ドラム２５に取り付けられるように構成されたドラム取付面（以下、「取付面」）６０を有する。取付面６０は、取付ブロック４５に形成されたブロック貫通穴６７(図６)と一直線に並ぶ（つまり、位置合わせされた）面貫通穴６２を有する。取付面６０は、第１（又は「上」）列Ａ６２の面貫通穴６２と第２（又は「下」）列Ｂ６２の面貫通穴６２を含んでいる。両列Ａ６２、Ｂ６２とも、粉砕ドラム２５の回転軸Ａ（図３）に平行である。
【００３１】
取付ブロック４５は、上面６９(図６)、この上面６９と反対側の下面７１（図７）、前方取付面７３(図６)、及び後方取付面７４（図７）を含む。取付ブロック４５は、第１列Ａ６７のブロック貫通穴６７と第２列Ｂ６７のブロック貫通穴６７とを含む。両列Ａ６７、Ｂ６７は、取付ブロック４５の上面６９及び下面７１に平行であり、粉砕ドラム２５の回転軸Ａ（図３）にも平行である。なお、異なる説明がない限り、「貫通穴」には貫通スロットも含まれる。
【００３２】
面貫通穴６２の第１及び第２列Ａ６２、Ｂ６２及びブロック貫通穴６７の第１及び第２列Ａ６７、Ｂ６７は、３つの貫通穴を有するものとして図示されている。しかし、各列Ａ６２、Ｂ６２、Ａ６７、Ｂ６７は、本願開示の範囲を逸脱することなく、それよりも数多くのまたは数少ない（例えば、１つ、２つ、４つ、５つ、６つ、またはそれより多くの）貫通穴を含んでいてもよいことはもちろんである。
【００３３】
取付ブロック４５におけるブロック貫通穴６７は、この取付ブロックがポケット７の取付面６０（図８）に、２つの異なる位置で取り付けられるように配列されている。これら両位置において、取付ブロック４５の後方取付面７４（図７）はポケット７の取付面６０（図８）に接する（abuts）。位置１において、取付ブロック４５（図６）の第１列Ａ６７のブロック貫通穴６７は、取付面６０の第１列Ａ６２の面貫通穴６２と位置合わせされ（つまり、一直線に並び）、取付ブロック４５の第２列Ｂ６７のブロック貫通穴６７は、取付面６０の第２列Ｂ６２の面貫通穴６２と位置合わせされる（一直線に並ぶ）。位置１において、減寸部材４２（図５）は、取付ブロック４５の上面６９（図６）に設けられる。
【００３４】
位置２においては、取付ブロック４５を位置１から反転させて（上下逆さにして）、ブロック貫通穴６７の第２列Ｂ６７（図７）を取付面６０の面貫通穴６２の第１列Ａ６２（図８）と一直線に並ばせる。ブロック貫通穴６７の第１列Ａ６７（図７）は取付面６０の面貫通穴６２の第２列Ｂ６２（図８）と並ぶ。位置２において、減寸部材４２（図５）は、取付ブロック４５の下面７１（図７）に配置される。
【００３５】
取付ブロック４５は複数の開口７５（図６）を含む。これらの開口７５は上面６９を貫通して延び、取付ブロック４５が位置１においてポケット７の取付面６０（図８）に取り付けられたときに、減寸部材４２（図４）、クランププレート４４、サポートプレート５１、及びスペーサ５２ａ、５２ｂ、５２ｃを取付ブロック４５の上面６９（図６）に取り付けるようになっている。開口７５は、取付ブロック４５の下面７１（図７）も貫通して延びており、取付ブロック４５が位置２においてポケット７の取付面６０に取り付けられたときに、減寸部材４２（図４）、クランププレート４４、サポートプレート５１、及びスペーサ５２ａ、５２ｂ、５２ｃを取付ブロック４５の下面７１（図７）に取り付けるようになっている。取付ブロック４５は、減寸部材４２（図４）、クランププレート４４、サポートプレート５１、及びスペーサ５２ａ、５２ｂ、５２ｃを取付ブロック４５に取り付けるために、任意の適切な数の開口７５を有していてもよい。例えば、少なくとも２個の貫通穴または少なくとも４個、少なくとも６個、少なくとも８個、あるいはもっと多くの開口７５を有していてもよい。
【００３６】
ここで図９を参照すると、各開口７５は、ファスナー（図示せず）が前記ブロック内に嵌め込まれるのを可能とする２つのカウンターボア７７を含む。上面６９と下面７１とでのカウンターボア７７の使用は、後述するように、取付ブロックが２つの異なる取り付け位置で反転されるのを可能とする。
【００３７】
取付ブロック４５を貫通するブロック貫通穴６７の列Ａ６７（図６及び図７）は上面６９（図６）に近い側にあり、ブロック貫通穴６７の列Ｂ６７は取付ブロック４５の下面７１（図７）に近い側にある。ブロック貫通穴６７の列Ａ６７（図６）は上面６９から距離Ｄ１のところにあり、ブロック貫通穴６７の列Ｂ６７（図６）は下面７１から距離Ｄ２のところにある。Ｄ１はＤ２とは異なる（例えば、Ｄ１はＤ２よりも、少なくとも約５％大きいか小さい、あるいは、少なくとも約１０％大きいか小さい。）。異なる距離Ｄ１及びＤ２を用いることで、取り付け位置１と２を変えることにより、粉砕ドラム２５の噛み込みサイズ（即ち、図１１及び１２に示すように、減寸部材の先端と粉砕ドラムのシェルとの間の距離）を変更することができる。
【００３８】
Ｄ１がＤ２よりも小さいとき、取り付け位置１を使用することにより、取付ブロック４５が位置２にあるときの粉砕ドラム２５の噛み込みサイズよりも小さい噛み込みサイズ（及び減縮された直径の減寸経路）となる。Ｄ１がＤ２よりも大きいとき、取り付け位置１を使用することにより、取付ブロック４５が位置２にあるときの粉砕ドラム２５の噛み込みサイズよりも大きい噛み込みサイズ（及び拡大された直径の減寸経路）となる。
【００３９】
粉砕ドラム（図２）の減寸部材３の噛み込みサイズが変えられたとき、適切な方法でアンビルを調整して、減寸部材との間の目標間隙を維持する。なお、取り付け位置１及び２を用いて減寸部材の噛み込みサイズを変えてもよいが、それに代えて、多数の位置を用いて、アンビルとの間の間隙を変更してもよい。
【００４０】
図１１に示すように、取り付け位置１を使用すると、減寸アセンブリ３の減寸部材の減寸エッジ５５と粉砕ドラム２５のシェル４との間の距離はＤ３となる。取り付け位置２を使用すると、減寸アセンブリ３の減寸部材（例えばナイフ刃）の減寸エッジ５５と粉砕ドラム２５のシェル４との間の距離はＤ４（図１２）となる。距離Ｄ３はＤ４とは異なる（generally different）。そして、図１１及び１２に示すように、Ｄ３はＤ４よりも小さく、その結果、粉砕ドラム２５の「噛み込み」（噛み込みサイズ）はより小さくなる。他の実施形態では、Ｄ３はＤ４よりも大きい。
【００４１】
任意の適切な方法、例えば、ねじ切りされたファスナー（以下「ねじファスナー」）８１（図５）を用いることにより、取付ブロック４５をポケット７の取付面６０（図８）に固定してもよい。これらのファスナー８１はねじバー８４と整列、つまり、位置合わせされている。あるいは、任意の適切な方法で、例えば、ロックナット及び／又はロックワッシャを用いることにより、または、色々な貫通穴のどれでもねじ切りすることにより、ファスナー８１を取付面６０（図８）に固定してもよい。ねじファスナー８５（図５）を用いて、サポートプレート５１とスペーサ５２ａ、５２ｂ、５２ｃを取付ブロック４５に固定し、ねじファスナー８８を用いてクランププレート４４、減寸部材４２、サポートプレート５１及びスペーサ５２ａ、５２ｂ、５２ｃを取付ブロック４５に固定してもよい。
【００４２】
別の実施形態に係る取付ブロック１４５を図１０に示す。図１０において、図６及び７に示した取付ブロック４５の構成部品、特徴部分と同様の取付ブロックの構成部品、特徴部分は、図６、７に示した対応の参照番号に１００を加えた参照番号（例えば、部分４５は部分１４５となる）で示されている。図１０に示すように、取付ブロック１４５は、前方取付面（図示せず）及び後方取付面１７４を貫通して延びる１列Ａ１６７のブロック貫通穴１６７を含んでいる。取付ブロック４５に関して説明したように、取付ブロック１４５を、取付面６０（図８）に第１位置で取り付けることができる。この第１位置において、減寸部材４２（図４）、クランププレート４４、サポートプレート５１、スペーサ５２ａ、５２ｂ、５２ｃが取付ブロック１４５の上面（図示せず）に取り付けられる。あるいは、位置１に関して取付ブロック１４５を反転つまり上下逆さにして、位置２において減寸部材４２（図４）、クランププレート４４、サポートプレート５１、スペーサ５２ａ、５２ｂ、５２ｃを取付ブロック１４５の下面１７１（図１０）に取り付けるようにしてもよい。
【００４３】
ブロック貫通穴１６７の列Ａ１６７は、取付ブロック１４５の上面（図示せず）から距離Ｄ１のところにあり、下面１７１からは距離Ｄ２のところにある。減寸アセンブリ３（図４）の噛み込みつまり噛み込みサイズを変えられるよう、Ｄ１はＤ２とは異なっている。
【００４４】
上述した取付ブロック４５（図６、７）と同様に、取付ブロック１４５におけるＤ１がＤ２よりも小さいとき、取り付け位置１を使用することにより、取付ブロック１４５が位置２にあるときの減寸アセンブリの噛み込みよりも小さい噛み込み（及び減縮された直径の減寸経路）となる。Ｄ１がＤ２よりも大きいとき、取り付け位置１を使用することにより、取付ブロック１４５が位置２にあるときの噛み込みよりも大きい噛み込み（及び拡大された直径の減寸経路）となる。
【００４５】
取付面６０（図８）は、２列の面貫通穴６２を有する。しかし、取付面６０は、それよりも多いまたは少ない列数の面貫通穴６２を備えてもよい。２列又はそれより多い列を含むことにより、取付ブロック４５を面貫通穴６２の一部（例えば、相対的に低い位置又は高い位置にある面貫通穴６２の組）に取り付けて粉砕ドラム２５（図３）の噛み込みを変えるようにしてもよい。これに代えて、あるいは、これに加えて、スペーサ５２ａ、５２ｂ、５２ｃの数及び／又は厚さを変えて粉砕ドラムの噛み込みを調整するようにしてもよい。
【００４６】
幾つかの実施形態（図示せず）において、取付ブロック４５（図６）は、２列より多い列のブロック貫通穴６７を備えている。少なくとも２列を備えることにより、ブロック貫通穴６７の一部（サブセット）（例えば、相対的に低い位置又は高い位置にあるブロック貫通穴６７の組）を使用して取付ブロック４５を取り付け、粉砕ドラム２５（図３）の噛み込みを変更することができる。
【００４７】
本願開示の実施形態によれば、粉砕ドラム２５（図３）の噛み込みを、ポケット７から減寸アセンブリ３を取り外すことによって変更することができる。取付ブロック４５をポケット７の取付面６０（図８）から係合解除する前又は後に、クランププレート４４（図４）、減寸部材４２、サポートプレート５１、そしてスペーサ５２ａ、５２ｂ、５２ｃを取付ブロック４５から取り外す。次に、クランププレート４４、減寸部材４２、サポートプレート５１、及びスペーサ５２ａ、５２ｂ、５２ｃを、これらが以前に取り付けられていた面とは反対側の取付ブロック４５の面（上面６９（図６））又は下面７１（図７））に取り付け直す。初期位置から反転された取付ブロック４５をポケット７の取付面６０（図８）に再度取り付ける。
【００４８】
従来の材料粉砕装置に比べて、上記減寸アセンブリ３は幾つかの利点を有する。例えば、この減寸アセンブリ３は、粉砕ドラム２５（図３）の噛み込みサイズを広い範囲（例えば、０．３２ｃｍ（１／８インチ）から３．８１ｃｍ（１．５インチ））に亘って変更可能として装置の性能を変更可能とできる。このようにより広い範囲の噛み込みサイズを提供できることは、装置のフレキシビリティを高め、達成するのに２台以上の機械を必要としたかもしれない噛み込みサイズ範囲を、１台の機械を用いて達成することを可能とする。さらに、このように広い噛み込みサイズ範囲を単一サイズのファスナー（例えばボルト）で達成することができ、噛み込みサイズを調整する際の手間を低減できる。反転可能な取付ブロックを（オプションにより、スペーサと組み合わせて）使用して、装置の噛み込みサイズを一連の増分（a series of increments）に亘って変えてもよい。
【００４９】
本明細書に記載の通り、寸法、濃度、温度、その他の物理的または化学的特性の範囲と共に使用される場合の「約」「略」「実質的に」「およそ」「大体」等の用語は、特性や特徴の範囲の上限及び／又は下限に存する変動、例えば、丸め（切り上げ／切り下げ等）、測定方法、他の統計上の変動に由来する変動、をカバーすることを意味している。
【００５０】
本開示の要素（部材）またはその実施形態を導入する場合、冠詞「a」 「an」「the」及び 「said」は、その要素（部材）が１またはそれ以上あることを意味している。用語「備える」「含む」「含有する」「有する」「持つ」（comprising, including, containing having）は非排他的であり、挙げた要素（部材）とは別のさらなる要素（部材）があってもよいことを意図している。特定の方位、方向を示す用語（例えば、「上」「下（底）」「横」等）の使用は、記載の便宜のためであり、それとは反対のことが明示的に記載されている場合を除き、記載した事項については特定の方位、方向は必要としない。
【００５１】
本開示の範囲から逸脱することなく上記の構成及び方法に種々の変更を行うことができるので、上記の記載に含まれ、添付の図面に示された全ての事項は例示のためのものとして解釈されるべきであって、限定的な意味で解釈されるべきでない。
【図１】
2014213322.tif 000003
【図２】
2014213322.tif 000004
【図３】
2014213322.tif 000005
【図４】
2014213322.tif 000006
【図５】
2014213322.tif 000007
【図６】
2014213322.tif 000008
【図７】
2014213322.tif 000009
【図８】
2014213322.tif 000010
【図９】
2014213322.tif 000011
【図１０】
2014213322.tif 000012
【図１１】
2014213322.tif 000013
【図１２】
2014213322.tif 000014